【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
レンズをコーティングする方法であって、
レンズポリマー成分を含むレンズの表面の少なくとも一部を、（ｉ）ポリマー分子あたり少なくとも１つのエポキシ基を有する結合ポリマー成分を含む結合成分、及び（ｉｉ）結合ポリマー成分を架橋するのに効果的な活性化成分でコーティングする工程；及び
活性化成分を、結合成分と反応させて、それにより、架橋されたポリマー成分を含むコーティングを形成する工程
を含む方法。
【請求項２】
レンズをコーティングするためのコーティング組成物であって、
ポリマー分子あたり少なくとも１つのエポキシ基を有する結合ポリマー成分を含む結合成分；及び
結合ポリマー成分と反応して、架橋されたポリマー成分を形成するのに効果的な活性化成分
を含むコーティング組成物。
【請求項３】
コーティングされたレンズであって、
表面を有する、レンズポリマー成分を含むレンズ本体；
該表面の少なくとも一部に位置する、架橋されたポリマー成分を含むコーティングであって、少なくとも１つのエポキシ基を有する結合ポリマー成分を含む結合成分と、結合ポリマー成分と反応して、架橋されたポリマー成分を形成するのに効果的な活性化成分とを含むコーティング組成物から誘導されるコーティング
を含むコーティングされたレンズ。
【手続補正２】
【補正対象書類名】明細書
【補正対象項目名】００４６
【補正方法】変更
【補正の内容】
【００４６】
実施例７
反応性部位のないレンズにおけるプリント
コーティング組成物配合物３Ｈ１又は３Ｈ２を乾燥サーフィルコンコンタクトレンズにプリントしたが、それは、反応器−ＯＨ、−ＣＯＯＨ又は−ＮＨ部位を有さない、含水量７３％（水和時）のＭＭＡ（メチルメタクリレート）／ｎ−ビニルピロリドンポリマーベースのコンタクトレンズである。各コーティング組成物は、少なくとも１つのレンズ上にプリントした。レンズを、約９０℃で１０分間硬化した。レンズを水和した後、それらをメタノール付着試験に付した。全てが合格した。実質的に、着色剤は除去されなかった。
コンタクトレンズが反応性部位を有していなかったこと及びコーティング組成物が除去されなかったことから、効果的な固定したコーティングが、コーティング組成物をレンズに対して結合、例えば共有結合させることなしに達成されたことが分かった。
尚、本発明の好ましい実施態様は、具体的には以下のようなものである。
（実施態様１）
レンズをコーティングする方法であって、
レンズポリマー成分を含むレンズの表面の少なくとも一部を、（ｉ）ポリマー分子あたり少なくとも１つのエポキシ基を有する結合ポリマー成分を含む結合成分、及び（ｉｉ）結合ポリマー成分を架橋するのに効果的な活性化成分でコーティングする工程；及び
活性化成分を、結合成分と反応させて、それにより、架橋されたポリマー成分を含むコーティングを形成する工程
を含む方法。
（実施態様２）
結合ポリマー成分が、２種又はそれより多くのエポキシ基を含むポリマー分子を含む実施態様１に記載の方法。
（実施態様３）
架橋されたポリマー成分が、レンズポリマー成分との共有結合を実質的に有さない実施態様１に記載の方法。
（実施態様４）
レンズポリマー成分が、結合ポリマー成分又は活性化成分と化学的に反応するのに効果的な官能基を実質的に有さない実施態様１に記載の方法。
（実施態様５）
レンズが、−ＣＯＯＨ、−ＮＨ−Ｒ、ＮＣＯ及びエポキシからなる群より選ばれる官能基を実質的に有さない実施態様４に記載の方法。
（実施態様６）
レンズがコンタクトレンズである実施態様１に記載の方法。
（実施態様７）
レンズポリマー成分が、親水性ポリマー材料を含む実施態様１に記載の方法。
（実施態様８）
レンズポリマー成分が、ヒドロキシアルキルメタクリレート、メタクリル酸、Ｎ−ビニルピロリドン、アクリルアミド、アルキルアクリルアミド、ビニルアルコール、親水性シリコーンポリマー重合用のケイ素含有モノマー、シロキサン、ケイ素含有アクリレート、ケイ素含有メタクリレート及びそれらの混合物からなる群より選ばれる少なくとも１つのモノマー成分由来の単位を含むポリマー材料を含む実施態様１に記載の方法。
（実施態様９）
結合ポリマー成分が、少なくとも１つのコポリマー及びホモポリマーを含む実施態様１に記載の方法。
（実施態様１０）
結合ポリマー成分が、親水性Ｎ−ビニル複素環モノマー；親水性Ｃ1-6ビニルエーテル；アクリル酸の親水性Ｃ1-6エステル；メタクリル酸の親水性Ｃ1-6エステル；親水性ビニルモノマー；親水性ジエンモノマー；アクリル酸の親水性Ｃ1-6アルコキシＣ1-6アルキルエステル；メタクリル酸の親水性Ｃ1-6アルコキシＣ1-6アルキルエステル；及びそれらの混合物からなる群より選ばれる少なくとも１つの親水性モノマー成分由来の単位を含む実施態様１に記載の方法。
（実施態様１１）
結合ポリマー成分が、ヒドロキシエチルメタクリレート由来の単位を含む実施態様１に記載の方法。
（実施態様１２）
少なくとも１つのエポキシ基が、エポキシ含有エチレン系不飽和成分及びその混合物からなる群より選ばれるエポキシ含有モノマー成分により提供される実施態様１に記載の方法。
（実施態様１３）
コーティングが、透明コーティング又は着色コーティングである実施態様１に記載の方法。
（実施態様１４）
結合成分が、更に、着色成分を含む実施態様１に記載の方法。
（実施態様１５）
着色成分が、顔料及び液体媒体を含む実施態様１４に記載の方法。
（実施態様１６）
活性化成分が、少なくとも２つの官能基を含むが、レンズポリマー成分又は結合ポリマー成分と、活性化成分を結合成分と反応させる工程の間に反応するのに効果的な−ＮＣＯ及びエポキシ基を有さない化合物を含む実施態様１に記載の方法。
（実施態様１７）
活性化成分が、多官能性アミン、多官能性酸、無水物、多官能性メルカプタン、ポリアミド、メラミンホルムアルデヒド化合物、ウレアホルムアルデヒド化合物、フェノールホルムアルデヒド化合物及びそれらの混合物からなる群より選ばれる材料を含む実施態様１に記載の方法。
（実施態様１８）
活性化成分が多官能性アミンを含む実施態様１に記載の方法。
（実施態様１９）
活性化成分が、少なくとも２つの−ＮＨ−Ｒ基（式中、Ｒは、独立して、水素及びＣ1-8アルキルからなる群より選ばれる）を含む化合物を含む実施態様１に記載の方法。
（実施態様２０）
レンズをコーティングするためのコーティング組成物であって、
ポリマー分子あたり少なくとも１つのエポキシ基を有する結合ポリマー成分を含む結合成分；及び
結合ポリマー成分と反応して、架橋されたポリマー成分を形成するのに効果的な活性化成分
を含むコーティング組成物。
（実施態様２１）
結合ポリマー成分が、２又はそれより多くのエポキシ基を含むポリマー分子を含む実施態様２０に記載のコーティング組成物。
（実施態様２２）
結合ポリマー成分又は活性化成分と化学的に反応するのに効果的な官能基を実質的に含まないレンズポリマー成分を含むレンズをコーティングするのに有用な、実施態様２０に記載のコーティング組成物。
（実施態様２３）
レンズポリマー成分を含むレンズ上に、レンズポリマー成分と共有結合させずに、コーティングを形成するのに有用な、実施態様２０に記載のコーティング組成物。
（実施態様２４）
結合ポリマー成分が、親水性Ｎ−ビニル複素環モノマー；親水性Ｃ1-6ビニルエーテル；アクリル酸の親水性Ｃ1-6エステル；メタクリル酸の親水性Ｃ1-6エステル；親水性ビニルモノマー；親水性ジエンモノマー；アクリル酸の親水性Ｃ1-6アルコキシＣ1-6アルキルエステル；メタクリル酸の親水性Ｃ1-6アルコキシＣ1-6アルキルエステル；及びそれらの混合物からなる群より選ばれる少なくとも１つのモノマー単位成分から誘導される実施態様２０に記載のコーティング組成物。
（実施態様２５）
少なくとも１つのエポキシ基が、エポキシ含有エチレン系不飽和化合物及びその混合物からなる群より選ばれるエポキシ含有モノマー成分により提供される実施態様２０に記載のコーティング組成物。
（実施態様２６）
着色成分を実質的に有さず、レンズ上に実質的に光学的に透明なコーティングを提供するのに効果的な実施態様２０に記載のコーティング組成物。
（実施態様２７）
結合成分が、更に、有効量の着色成分を含む実施態様２０に記載のコーティング組成物。
（実施態様２８）
着色成分が、顔料及び液体媒体を含む実施態様２７に記載のコーティング組成物。
（実施態様２９）
活性化成分が、少なくとも２つの官能基を含むが、−ＮＣＯ及びエポキシ基を有さない化合物を含む実施態様２０に記載のコーティング組成物。
（実施態様３０）
活性化成分が、多官能性アミン、多官能性酸、無水物、多官能性メルカプタン、ポリアミド、メラミンホルムアルデヒド化合物、ウレアホルムアルデヒド化合物、フェノールホルムアルデヒド化合物及びそれらの混合物からなる群より選ばれる材料を含む実施態様２０に記載のコーティング組成物。
（実施態様３１）
活性化成分が、分子あたりの炭素原子数が２〜約１０の多官能性アミンを含む実施態様２０に記載のコーティング組成物。
（実施態様３２）
コーティングされたレンズであって、
表面を有する、レンズポリマー成分を含むレンズ本体；
該表面の少なくとも一部に位置する、架橋されたポリマー成分を含むコーティングであって、少なくとも１つのエポキシ基を有する結合ポリマー成分を含む結合成分と、結合ポリマー成分と反応して、架橋されたポリマー成分を形成するのに効果的な活性化成分とを含むコーティング組成物から誘導されるコーティング
を含むコーティングされたレンズ。
（実施態様３３）
結合ポリマー成分が、２つ又はそれより多くのエポキシ基を含むポリマー分子を含む実施態様３２に記載のコーティングされたレンズ。
（実施態様３４）
コーティングされたコンタクトレンズである実施態様３２に記載のコーティングされたレンズ。
（実施態様３５）
架橋されたポリマー成分が、レンズポリマー成分との共有結合を実質的に有さない実施態様３２に記載のコーティングされたレンズ。
（実施態様３６）
レンズポリマー成分が、結合ポリマー成分又は活性化成分と化学的に反応するのに効果的な官能基を実質的に有さない実施態様３２に記載のコーティングされたレンズ。
（実施態様３７）
レンズポリマー成分が、−ＣＯＯＨ、−ＮＨ−Ｒ、ＮＣＯ及びエポキシからなる群より選ばれる官能基を実質的に有さない実施態様３６に記載のコーティングされたレンズ。
（実施態様３８）
レンズポリマー成分が、親水性ポリマー材料を含む実施態様３２に記載のコーティングされたレンズ。
（実施態様３９）
レンズポリマー成分が、ヒドロキシアルキルメタクリレート、メタクリル酸、Ｎ−ビニルピロリドン、アクリルアミド、アルキルアクリルアミド、ビニルアルコール、親水性シリコーンポリマー重合用のケイ素含有モノマー、シロキサン、ケイ素含有アクリレート、ケイ素含有メタクリレート及びそれらの混合物からなる群より選ばれる少なくとも１つのモノマー成分由来の単位を含むポリマー材料を含む実施態様３２に記載のコーティングされたレンズ。
（実施態様４０）
ポリマー成分が、親水性Ｎ−ビニル複素環モノマー；親水性Ｃ1-6ビニルエーテル；アクリル酸の親水性Ｃ1-6エステル；メタクリル酸の親水性Ｃ1-6エステル；親水性ビニルモノマー；親水性ジエンモノマー；アクリル酸の親水性Ｃ1-6アルコキシＣ1-6アルキルエステル；メタクリル酸の親水性Ｃ1-6アルコキシＣ1-6アルキルエステル；及びそれらの混合物からなる群より選ばれる少なくとも１つのモノマー単位成分から誘導される実施態様３２に記載のコーティングされたレンズ。
（実施態様４１）
少なくとも１つのエポキシ基が、エポキシ含有エチレン系不飽和化合物及びその混合物からなる群より選ばれるエポキシ含有モノマー成分により提供される実施態様３２に記載のコーティングされたレンズ。
（実施態様４２）
コーティングが、透明コーティング又は着色コーティングである実施態様３２に記載のコーティングされたレンズ。
（実施態様４３）
結合成分が、更に、有効量の着色成分を含む実施態様３２に記載のコーティングされたレンズ。
（実施態様４４）
着色成分が、顔料及び液体媒体を含む実施態様４３に記載のコーティングされたレンズ。
（実施態様４５）
活性化成分が、少なくとも２つの官能基を含むが、−ＮＣＯ及びエポキシ基を有さない化合物を含む実施態様３２に記載のコーティングされたレンズ。
（実施態様４６）
活性化成分が、多官能性アミン、多官能性酸、無水物、多官能性メルカプタン、ポリアミド、メラミンホルムアルデヒド化合物、ウレアホルムアルデヒド化合物、フェノールホルムアルデヒド化合物及びそれらの混合物からなる群より選ばれる材料を含む実施態様３２に記載のコーティングされたレンズ。
（実施態様４７）
活性化成分が多官能性アミンを含む実施態様３２に記載のコーティングされたレンズ。
（実施態様４８）
活性化成分が、分子あたりの炭素原子数が２〜約１０の多官能性アミンを含む実施態様３２に記載のコーティングされたレンズ。
種々の文献及び特許を本願明細書において引用した。これらの文献及び特許の内容は、参考文献として本願明細書中に組み込まれるものとする。
本発明を種々の具体的な実施例及び実施態様に関連して記載してきたが、本発明は、これらに制限される訳ではなく、本発明の範囲内において種々のプラクティスで行い得ると理解すべきである。